【手続補正書】
【提出日】平成17年10月3日(2005.10.3)
【手続補正１】
【補正対象書類名】明細書
【補正対象項目名】特許請求の範囲
【補正方法】変更
【補正の内容】
【特許請求の範囲】
【請求項１】  不動態化用生体材料表面の製造において使用される試薬であって、潜在的反応性基及び２官能性脂肪族系酸を含んで成り、両方の基は共に、表面に上記試薬を付着させるために上記潜在的反応性基を活性化できるように、かつ、上記表面を不動態化させるために、疎水性又はイオン性相互作用により、付着した試薬の脂肪族系酸がタンパク様の成分を引きつけ、そして結合することができるようなやり方で、スペーサに共有結合されている、前記試薬。
【請求項２】  一般式（Ｘ）m−Ｙ−（Ｚ）nをもち、式中Ｘは潜在的反応性基であり、Ｙはスペーサラジカルであり、Ｚが２官能性脂肪酸であり、かつ、ｍ及びｎは独立して１以上である、請求項１に記載の試薬。
【請求項３】  前記２官能性脂肪族系酸が、カルボン酸の形態のアニオン領域を含んで成る、請求項２に記載の試薬。
【請求項４】  前記２官能性脂肪族系酸が、脂肪酸を含んで成る、請求項２に記載の試薬。
【請求項５】  前記タンパク様成分がアルブミンを含んで成る、請求項１に記載の試薬。
【請求項６】  前記スペーサが、ヘテロ２官能性試薬を提供するべく２価のスペーサを含んで成る、請求項１に記載の試薬。
【請求項７】  前記スペーサが、重合体試薬を提供するべく重合体主鎖を含んで成る、請求項１に記載の試薬。
【請求項８】  前記重合体主鎖が、付加又は縮合重合の結果得られたオリゴマー、ホモポリマー及びコポリマーから成る群から選択された合成重合体主鎖、及び天然の重合体から成る群から選ばれる、請求項７に記載の試薬。
【請求項９】  前記試薬が、各々多数の脂肪酸側基及び多数の光活性化可能な側基を含有する、光活性化可能なポリアクリルアミド共重合体、光活性化可能なポリビニルピロリドン及び光活性化可能なポリシロキサンから成る群から選択される、請求項８に記載の試薬。
【請求項１０】  前記スペーサが、脂肪族スペーサ、重合体スペーサ及びＯ，Ｎ及びＳから成る群から選択されたヘテロ原子から成る群から選択される、請求項１に記載の試薬。
【請求項１１】  不動態化用表面の製造における使用のための試薬であって、
モノ−２−（カルボキシメチル）ヘキサデカンアミドポリ（エチレングリコール）200モノ−４−ベンゾイルベンジル・エーテル、モノ−３−カルボキシヘプタデカンアミドポリ（エチレングリコール）200モノ−４−ベンゾイルベンジル・エーテル、モノ−２−（カルボキシメチル）ヘキサデカンアミドテトラ（エチレン・グリコール）モノ−４−ベンゾイルベンジルエーテル、モノ−３−カルボキシヘプタ−デカンアミドテトラ（エチレン・グリコール）モノ−４−ベンゾイルベンジル・エーテル、Ｎ−［２−（４−ベンゾイルベンジルオキシ）エチル］−２−（カルボキシメチル）ヘキサデカンアミド、Ｎ−［２−（４−ベンゾイルベンジルオキシ）エチル］−３−カルボキシヘプタデカンアミド、Ｎ−［１２−（ベンゾイルベンジルオキシ）ドデシル］−２−（カルボキシメチル）ヘキサデカンアミド、Ｎ−［１２−（ベンゾイルベンジルオキシ）ドデシル］−３−カルボキシ−ヘプタデカンアミド、Ｎ−［３−（４−ベンゾイルベンズアミド）プロピル］−２−（カルボキシメチル）ヘキサデカンアミド、Ｎ−［３−（４−ベンゾイルベンズアミド）プロピル］−３−カルボキシヘプタデカンアミド、Ｎ−（３−ベンゾイルフェニル）−２−（カルボキシメチル）ヘキサデカンアミド、Ｎ−（３−ベンゾイルフェニル）−３−カルボキシヘプタデカンアミド、Ｎ−（４−ベンゾイルフェニル）−２−（カルボキシメチル）ヘキサデカンアミド、ポリ（エチレン・グリコール）200モノ−１５−カルボキシペンタデシル・モノ−４−ベンゾイルベンジル・エーテル、及びモノ−１５−カルボキシペンタ−デカンアミドポリ（エチレン・グリコール）200モノ−４−ベンゾイルベンジル・エーテル、から成る群から選択される、前記試薬。
【請求項１２】  以下の式：
【化１】
2002506688.tif 000001
のアクリルアミドと脂肪酸単量体との光反応性終点共重合体、
以下の式：
【化２】
2002506688.tif 000002
のＮ−ビニルピロリドンと脂肪酸単量体との光反応性終点共重合体、
以下の式：
【化３】
2002506688.tif 000003
のＮ−ビニルピロリドンと脂肪酸単量体との光反応性ランダム共重合体、及び
以下の式：
【化４】
2002506688.tif 000004
脂肪酸リガンドを含有する光反応性シロキサン共重合体、
から成る群から選択される、不動態化用表面の製造における使用のための試薬であって、各重合体中に示す単量体がランダムな配列及び相対的濃度で存在する、前記試薬。
【請求項１３】  Ｎ−［３−メタクリルアミド）プロピル］−２−（カルボキシメチル）ヘキサデカンアミド、Ｎ−［３−メタクリルアミド）プロピル］−３−カルボキシヘプタデカンアミド、Ｎ−［３−（４−ベンゾイルベンズアミド）プロピル］メタクリルアミド、及びＮ−（２−メルカプトエチル）−３，５−ビス（４−ベンゾイルベンジルオキシ）ベンズアミド、から成る群から選択される、請求項１に記載の試薬の製造における使用のための中間体。
【請求項１４】  不動態化用生体材料表面の製造方法であって、請求項１に記載の試薬で生体材料表面をコーティングする段階、及び上記試薬を上記表面に共有結合させるのに適した条件下で上記潜在的反応性基を活性化させる段階を含む、前記方法。
【請求項１５】  前記試薬がヘテロ２官能性試薬を提供するべく２価のスペーサを含んで成る、請求項１４に記載の方法。
【請求項１６】  前記スペーサが、重合体試薬を提供するべく、重合体主鎖を含んで成る、請求項１４に記載の方法。
【請求項１７】  ポリオレフィン、ポリスチレン、ポリ（メチル）メタクリレート、ポリアクリロニトリル、ポリ（ビニルアセテート）、ポリ（ビニルアルコール）、ポリ塩化（ビニル）、ポリオキシメチレン、ポリカーボネート、ポリアミド、ポリイミド、ポリウレタン、フェノール樹脂、アミノエポキシ樹脂、ポリエステル、シリコーン樹脂、セルロース系プラスチック、及びゴム状プラスチック、から成るグループの中から前記生体材料が選択される、請求項１４に記載の方法。
【請求項１８】  不動態化用生体材料表面の製造方法であって、（ａ）求核性種で誘導体化された表面を提供する段階、（ｂ）共有結合リンケージにより上記表面に付着された２官能性脂肪族系酸を形成するべく、上記求核性種と反応性分子を反応させるのに適した条件下で上記反応性分子と上記表面を反応させる段階、を含む、前記方法。
【請求項１９】  前記求核性種がアミノ基を含み、そして前記反応性分子が、前記求核性種の存在下で開環しそれとアミド結合を形成するように適合化された無水物量を含んで成る、請求項１８に記載の方法。
【請求項２０】  前記反応性分子が、ｎ−テトラデシルこはく酸無水物を含んで成る、請求項１９に記載の方法。
【請求項２１】  請求項１に記載の試薬を共有結合により付着された状態で有する生体材料表面を含む不動態化用生体材料。
【請求項２２】  前記生体材料が、ポリオレフィン、ポリスチレン、ポリ（メチル）メタクリレート、ポリアクリロニトリル、ポリ（酢酸ビニル）、ポリ（ビニルアルコール）、ポリ塩化（ビニル）といった塩素含有重合体、ポリオキシメチレン、ポリカーボネート、ポリアミド、ポリイミド、ポリウレタン、フェノール樹脂、アミノ−エポキシ樹脂、ポリエステル、シリコーン樹脂、セルロース系プラスチック、及びゴム状プラスチック、から成る群から選択される、請求項２１に記載の表面。
【請求項２３】  前記表面を不動態化するためアルブミン分子を引きつけそれに結合させることを可能にするのに適した条件下、in vivoにおいて配置される、請求項２１に記載の表面。
【請求項２４】  請求項２１に記載の不動態化用生体材料から製造された医療用物品。
【請求項２５】  in vivo で利用するための血液と接触する医療用デバイスを含む、請求項２４に記載の医療用物品。
【請求項２６】  それに結合されたタンパク様の材料を有する請求項２３に記載の表面を含む不動態化された生体材料表面。
【請求項２７】  請求項１１に記載の試薬を共有結合で付着した状態で有する生体材料表面を含んで成る不動態化用生体材料表面。
【請求項２８】  前記生体材料が、ポリオレフィン、ポリスチレン、ポリ（メチル）メタクリレート、ポリアクリロニトリル、ポリ（酢酸ビニル）、ポリ（ビニルアルコール）、ポリ塩化（ビニル）といった塩素含有重合体、ポリオキシメチレン、ポリカーボネート、ポリアミド、ポリイミド、ポリウレタン、フェノール樹脂、アミノ−エポキシ樹脂、ポリエステル、シリコーン樹脂、セルロース系プラスチック、及びゴム状プラスチック、から成る群から選択される、請求項２７に記載の表面。
【請求項２９】  前記表面を不動態化するためアルブミン分子を引きつけそれに結合させることを可能にするのに適した条件下、in vivoにおいて配置される、請求項２７に記載の表面。
【請求項３０】  請求項２７に記載の不動態化用生体材料から製造された医療用物品。
【請求項３１】  in vivo で利用するための血液と接触する医療用デバイスを含む、請求項３０に記載の医療用物品。
【請求項３２】  それに結合されたタンパク様の材料を有する請求項２９に記載の表面を含む不動態化された生体材料表面。
【請求項３３】  請求項１２に記載の試薬を共有結合で付着した状態で有する生体材料表面を含んで成る不動態化用生体材料。
【請求項３４】  前記生体材料が、ポリオレフィン、ポリスチレン、ポリ（メチル）メタクリレート、ポリアクリロニトリル、ポリ（酢酸ビニル）、ポリ（ビニルアルコール）、ポリ塩化（ビニル）といった塩素含有重合体、ポリオキシメチレン、ポリカーボネート、ポリアミド、ポリイミド、ポリウレタン、フェノール樹脂、アミノ−エポキシ樹脂、ポリエステル、シリコーン樹脂、セルロース系プラスチック、及びゴム状プラスチック、から成る群から選択される、請求項３３に記載の表面。
【請求項３５】  前記表面を不動態化するためアルブミン分子を引きつけそれに結合させることを可能にするのに適した条件下、in vivoにおいて配置される、請求項３３に記載の表面。
【請求項３６】  請求項３３に記載の不動態化用生体材料から製造された医療用物品。
【請求項３７】  in vivo で利用するための血液と接触する医療用デバイスを含む、請求項３６に記載の医療用物品。
【請求項３８】  それに結合されたタンパク様の材料を有する請求項３５に記載の表面を含む不動態化された生体材料表面。
【請求項３９】  請求項１８に記載の方法に従って製造された表面を含んで成る不動態化用生体材料。
【請求項４０】  前記生体材料が、ポリオレフィン、ポリスチレン、ポリ（メチル）メタクリレート、ポリアクリロニトリル、ポリ（酢酸ビニル）、ポリ（ビニルアルコール）、ポリ塩化（ビニル）といった塩素含有重合体、ポリオキシメチレン、ポリカーボネート、ポリアミド、ポリイミド、ポリウレタン、フェノール樹脂、アミノ−エポキシ樹脂、ポリエステル、シリコーン樹脂、セルロース系プラスチック、及びゴム状プラスチック、から成る群から選択される、請求項３９に記載の表面。
【請求項４１】  前記表面を不動態化するためアルプミン分子を引きつけそれに結合させることを可能にするのに適した条件下、in vivoにおいて配置された、請求項３９に記載の試薬を共有結合で付着された状態で有する生体材料表面を含んで成る、不動態化された生体材料表面。
【請求項４２】  請求項３９に記載の不動態化用生体材料から製造された医療用物品。
【請求項４３】  in vivo で利用するための血液と接触する医療用デバイスを含む、請求項４２に記載の医療用物品。
【請求項４４】  それに結合されたタンパク様の材料を有する請求項４１に記載の表面を含む不動態化された生体材料表面。